(57)【要約】【課題】  従来の美錠の課題を解決するとともに、デザイン性に優れたバンドの留め構造の提供を目的とすることにある。【解決手段】  美錠１０は、ツク棒３０が、剣先バンド１８の小穴１９へ挿通する部分に屈曲部３３を備えるとともに、それに対応してカサ２０が、カサ先端部２１とカサ後端部２５とに剣先バンド１８の厚さ分の高低差を備えている。【選択図】  図３
2007037591.tif 000002
【特許請求の範囲】
【請求項１】
湾曲状の剣先バンドに対して不均一な湾曲を与えない美錠を備えたバンドの留め構造。
【請求項２】
美錠を構成するツク棒が、剣先バンドの小穴へ挿通する部分に、湾曲状の剣先バンドに対して不均一な湾曲を与えない屈曲部を備えた請求項１記載のバンドの留め構造。
【請求項３】
美錠の水平状態にあって、美錠を構成するカサが、剣先バンドに当接するカサ先端部と、親バンドに回動自在に取り付けられるカサ後端部とに、剣先バンドの厚さ分の高低差を備えた請求項１又は２記載のバンドの留め構造。
【請求項４】
カサ先端部を剣先バンドの形状に合わせて延伸し、そのカサ先端部を剣先バンド表面に密着させた請求項１から３のいずれかに記載のバンドの留め構造。
【請求項５】
カサ上面全体の形状を剣先バンドの湾曲形状に合わせて形成される請求項１から４のいずれかに記載のバンドの留め構造。
【請求項６】
ツク棒の断面を円形にした請求項１から５のいずれかに記載のバンドの留め構造。
【請求項７】
請求項１から６のいずれかに記載のバンドの留め構造を備えた時計バンド。
【請求項８】
請求項１から６のいずれかに記載のバンドの留め構造を備えたバンド部材。
【請求項９】
請求項７記載の時計バンドを備えた腕時計。
【発明の詳細な説明】
【技術分野】
【０００１】
本発明は、バンド類に用いられる美錠の留め構造に関するものである。
【背景技術】
【０００２】
従来、時計バンドや腰ベルトなどのバンド類を結合させる部品として「美錠」がある。
この「美錠」は、バンドの一端側に取り付けられるものであり、バンドの他端側を通す「カサ」と、バンドの他端側に設けられた小穴へ挿通する「ツク棒」とから構成される。「美錠」の形状としては各種のものがあり、材質としてはステンレススチール，真鍮，アルミニウムのものなどがある。
また、「美錠」に関する特許文献としては、以下の特許文献１などがある。
【０００３】
【特許文献１】実開平０２−７４８０６号公報
【発明の開示】
【発明が解決しようとする課題】
【０００４】
上記の「美錠」にあっては、従来より次のような課題があった。
（１）「美錠」の基本構造は、バンドの他端側を「カサ」に通し、そのバンドの他端側に設けられた小穴へ「ツク棒」を挿通することでバンドを結合させるものであるが、これによってバンドの他端側に無理な負担（応力）がかかって、バンド表面のシワやヒビ，小穴の亀裂などバンドを傷めるおそれが多かった。
（２）バンドを結合させた場合に、「美錠」とくに「カサ先端部」がバンド本体から浮き上がることが多かった。このため、例えば、時計バンドの場合に、上着の袖口が「美錠」に引っ掛かるなどのこともあった。
【０００５】
そこで、本発明は、このような従来の「美錠」の課題を解決するとともに、デザイン性に優れたバンドの留め構造の提供を目的とするものである。
【課題を解決するための手段】
【０００６】
上記目的を達成するために、第１の発明は、湾曲状の剣先バンドに対して不均一な湾曲を与えない美錠を備えたことを特徴とするものである。ここで「剣先バンド」とは、美錠の取り付けられていない他端側のバンドをいう。
第２の発明は、美錠を構成するツク棒が、剣先バンドの小穴へ挿通する部分に、湾曲状の剣先バンドに対して不均一な湾曲を与えない屈曲部を備えたことを特徴とするものである。
第３の発明は、美錠の水平状態にあって、美錠を構成するカサが、剣先バンドに当接するカサ先端部と、親バンドに回動自在に取り付けられるカサ後端部とに、剣先バンドの厚さ分の高低差を備えたことを特徴とするものである。
第４の発明は、カサ先端部を剣先バンドの形状に合わせて延伸し、そのカサ先端部を剣先バンド表面に密着させたことを特徴とするものである。
第５の発明は、カサ上面全体の形状を剣先バンドの湾曲形状に合わせて形成されることを特徴とするものである。
第６の発明は、ツク棒の断面を円形にしたことを特徴とするものである。
第７の発明は、上記第１から６の発明を備えた時計バンドであることを特徴とするものである。
第８の発明は、上記第１から６の発明を備えたバンド部材であることを特徴とするものである。ここで「バンド部材」には、装飾品に用いられるバンド類の他、ベルト類など「バンド」という名称の如何を問わず、帯状であって装着や結合用の部材として用いられるものが含まれる。
第９の発明は、上記第７の発明を備えた腕時計であることを特徴とするものである。
【発明の効果】
【０００７】
本発明によれば、次のような効果を有する。
（１）美錠が剣先バンドに対して不均一な湾曲を与えないことで、バンドに掛かる負担が軽減され、バンドの耐久性を著しく向上させる。また、手首等へバンドを装着する場合のフィット性を向上させる。
（２）美錠を構成するツク棒が小穴へ挿通する部分に屈曲部を備えたり、美錠の水平状態にあって、美錠を構成するカサがカサ先端部とカサ後端部とに剣先バンドの厚さ分の高低差を備えたりすることで、使用時に剣先バンドに余計な負荷を与えなくなり、剣先バンドが不均一な湾曲状態にならない。また、剣先バンドの小穴の亀裂を生じにくくする。
（３）カサ先端部を剣先バンドの形状に合わせて延伸し、そのカサ先端部を剣先バンド表面に密着させたことで、剣先バンドを押さえるとともに、カサ先端部がバンド本体から浮き上がりにくくなる。このため、例えば、時計バンドの場合に、上着の袖口が「美錠」に引っ掛かることなどを防止でき、不意な接触による不具合が軽減される。また、延伸されてカサ先端部の面積が広くなり、刻印や装飾等を入れることができるようになる。
（４）カサ上面全体の形状を剣先バンドの湾曲形状に合わせて形成されることで、使用時にバンドの形状に沿った一体感を与え、デザイン性に優れたものになる。
（５）ツク棒の断面を円形にすることで、剣先バンドの小穴の亀裂を生じにくくする。
【発明を実施するための最良の形態】
【０００８】
本発明の実施形態を図面に基づいて説明する。なお、ここでは時計バンドに用いられる美錠を例に説明するが、これに限るものではない。
図１は、本発明に係る美錠を示した斜視図である。美錠１０は、カサ２０とツク棒３０とからなる。
【０００９】
カサ２０は、時計バンドの親バンド（１２時側につくバンド：図示省略）の外側端部にピン材２９を介して回動自在に取り付けられる略コ字形部材である。図１に示すような美錠１０の水平状態にあって、美錠を構成するカサ２０が、剣先バンド（６時側につくバンド：図示料略）に当接するカサ先端部２１と、親バンドに回動自在に取り付けられるカサ後端部２５とに、剣先バンドの厚さ分の高低差を備えている。また、先端部２１の開口部２２は、剣先バンドと合致するような形状となっている。
【００１０】
ツク棒３０は、その根元の基部３５に形成されたピン孔３６に前記ピン材２９を通し、カサ２０に回動自在に取り付けられ、その頂部３１がカサ先端部２１に当接する棒状部材である。ツク棒３０のみの全体斜視図を図２に示す。
【００１１】
図２に示すように、ツク棒３０は、頂部３１を起立させるような屈曲部３３を備える。屈曲部３３については、また図３のところで説明する。また、ツク棒３０は断面を円形にすると良い。円形であると、剣先バンドの小穴へ挿通したときに小穴へ余計な負荷がかからず、角形の場合と比べて小穴の損傷を抑制することができる。
【００１２】
図３は、美錠の使用状態を説明したものであり、上段の図３（１）は本発明の美錠１０を用いた例、下段の図３（２）は従来の美錠５０を用いた例である。
図３（２）に示すように、従来の美錠５０では剣先バンド５８の小穴５９へツク棒５５を挿通した場合に、小穴５９及び剣先バンド５８へ無理な応力がかかり、時計バンドの均一な湾曲状態を妨げている。これは、美錠５０を構成するカサ５１が、カサ先端部５２とカサ後端部５３とにあまり高低差を備えておらず、ツク棒５５も基部５６から比較的直線的に延びているため、剣先バンド５８を自然に（負荷なく）通す余裕がなく、この美錠５０部分で不均一な湾曲状態となってしまうからである。
【００１３】
これに対して、図３（１）に示す本発明の美錠１０では、ツク棒３０が、剣先バンド１８の小穴１９へ挿通する部分に屈曲部３３を備えるとともに、それに対応してカサ２０が、カサ先端部２１とカサ後端部２５とに剣先バンド１８の厚さ分の高低差を備えている。このため、ツク棒３０は、剣先バンド１８の小穴１９へ無理な応力をかけず、カサ２０を通る剣先バンド１８にも無理な応力をかけず、剣先バンド１８の均一な湾曲状態を維持したまま時計バンドを結合できるのである。
【００１４】
また、美錠１０のカサ先端部２１は、剣先バンド１８の形状に合わせて延伸し剣先バンド１８表面に密着している。このため、このカサ先端部２１が剣先バンド１８を押さえるとともに、カサ先端部２１がバンド本体から浮き上がるのを防ぐことになる。また、図示省略するが、延伸したカサ先端部２１にブランドマークなどの刻印や装飾もすることができる。
【００１５】
さらに、美錠１０は、カサ２０上面全体の形状を剣先バンド１８の湾曲形状に合わせて形成、すなわち、カサ２０の両側部２７，２７を剣先バンド１８の湾曲状態に合わせて形成されているので、時計バンドの形状に沿った一体感を与え、デザイン性に優れたものになっている。
【産業上の利用可能性】
【００１６】
本発明は、実施形態で示した時計バンドに用いられる美錠の留め構造に利用されるものであることはもちろんのこと、広く美錠を用いたバンド類の留め構造として利用することができるものである。
【図面の簡単な説明】
【００１７】
【図１】本発明に係る美錠を示した斜視図。
【図２】本発明に係るツク棒を示した斜視図。
【図３】美錠の使用状態を説明した説明用断面図。
【符号の説明】
【００１８】
１０  美錠    １８  剣先バンド    １９  小穴
２０  カサ    ２１  先端部    ２２  開口部    ２５  後端部    ２７  側部
２９  ピン材
３０  ツク棒  ３１  頂部      ３３  屈曲部    ３５  基部      ３６  ピン孔
５０  美錠    ５２  先端部    ５３  後端部    ５５  ツク棒    ５６  基部
５８  剣先バンド    ５９  小穴
【図１】
2007037591.tif 000003
【図２】
2007037591.tif 000004
【図３】
2007037591.tif 000005